(57)【要約】【課題】注出操作が容易な、容器本体を並列に備えた注出容器を提供すること。【解決手段】キャップ体と、キャップ体の下部に並列に固定した容器本体からなり、キャップ体の内部に円筒状の注出筒体を中心軸に沿って備え、注出筒体の注出口をキャップ体上部に開口させ、かつ注出筒体の下端に操作部材を回転方向の変位を軸方向の変位に変換するカム機構を介して回動自在に備え、容器本体の注出ノズル双方に接続し、操作部材によって押下されると注出ノズルを開口させ噴出された内容液をそれぞれ注出筒体に導入する連結押下部材を操作部材の下部に備え、操作部材を回動させると、連結押下部材を介してカム機構により注出ノズルが押下され、各容器本体から内容液を噴出させて注出口から内容液が注出されるように注出容器を構成した。これにより、注出容器を掴んだ片手で注出操作ができ、また容器を持ち替えることなく頭髪に内容液を塗布することができる。【選択図】  図１
2004331101.tif 000002
【特許請求の範囲】
【請求項１】
キャップ体と、該キャップ体の下部に並列に固定した容器本体からなり、
前記キャップ体の内部に円筒状の注出筒体を中心軸に沿って設け、
該注出筒体の注出口を前記キャップ体上部に開口し、かつ該注出筒体の下端に回転方向の変位を軸方向の変位に変換するカム機構を介して操作部材を回動自在に設け、
前記容器本体の注出ノズル双方に接続し、前記操作部材によって押下されると前記注出ノズルを開口させ、該注出ノズルから噴出されたそれぞれの内容液を前記注出筒体に導入する連結通路を備えた連結押下部材を前記操作部材の下部に設け、
前記操作部材の回動により、各容器本体からの内容液がともに前記注出口から注出されることを特徴とした注出容器。
【請求項２】
下方を凸とした第１カム片を前記注出筒体の下端部に少なくとも軸対称の位置に形成し、前記第１カム片に対応した凹状の第２カム片を前記操作部材に形成して前記カム機構を構成したことを特徴とした請求項１に記載の注出容器。
【請求項３】
前記容器本体を固定部材に固定し、該固定部材に前記キャップ体を着脱自在に取り付けたことを特徴とする請求項１又は２に記載の注出容器。
【請求項４】
前記操作部材の側方に設けた操作片を、前記キャップ体の側壁に形成された操作用窓より突出させたことを特徴とする請求項１〜３のいずれか１項に記載の注出容器。
【請求項５】
複数の櫛歯を立設させ、前記注出口に連通した開口を有する櫛歯体を前記注出口に組み付けたことを特徴とする請求項１〜４のいずれか１項に記載の注出容器。
【発明の詳細な説明】
【０００１】
【発明の属する技術分野】
本発明は、並列に固定した一対の容器から内容液を噴出させ、一つの注出口からそれら内容液をともに注出させる注出容器に関する。
【０００２】
【従来の技術】
ある種の染毛剤では２種の内容物を混合して使用するものがあり、このタイプを扱う注出容器で、内容物を個々にエアゾール式容器に収納し、双方のエアゾール式容器から同時に内容物を噴出させ、噴出した両内容物を一か所の注出口から注出して使用するようにした注出容器が知られている。
【０００３】
かかる注出容器は例えば、内容物を収納した一対のエアゾール式の容器体と、この一対の容器体を並列に隣接してその上端部を固定する外装筒と、この外装筒を跨ぐ形で組み付けられたキャップ体と、注出容器の前後面に対向して設けられた操作片等からなり、操作片を親指と人差し指で掴み押圧すると、キャップ体が外装筒に対して下方に下がり、キャップ体が両容器体の注出ノズルを押し下げて内容液を両容器体から噴出させ、噴出した内容液が一つの注出筒片から注出されるようになっている。  （例えば特許文献１参照。）。
【０００４】
この従来技術にあっては、容器体を掴持した片手で操作片を前後から押圧することにより一対の容器体の注出ノズルを同時に押し下げて、両容器体の内容物を一緒に吐出できるので、一つの操作片に対する簡単な押圧操作により、二つの内容物を、同時にかつ一緒にした状態、すなわちそのまま使用することのできる状態で注出する、という優れた効果を発揮する。
【０００５】
【特許文献１】
特願２００１−３０４１０４号公報。
【０００６】
【発明が解決しようとする課題】
しかしながら、上記注出容器にあっては操作片をある程度の力で押圧しなければならないが、操作片を操作すると操作片自体が容器体の下側に移動してくるため操作片を強く握りにくいことがあった。また操作片と容器体とが一体ではなく、操作片を強く把持した状態では容器体の把持が不安定となることから、内容物を櫛歯で塗布する際には容器体自体に握り替えるなど持ち直すことが必要であった。
【０００７】
本発明は、注出容器を掴んだ片手で操作片を操作して、容器本体が二連の注出容器から内容液を容易に注出できる注出容器を提供することを目的とする。
【０００８】
【課題を解決するための手段】
本発明は、上記課題を解決するため次のように注出容器を構成した。
【０００９】
請求項１に記載の発明は、キャップ体と、キャップ体の下部に並列に固定した容器本体からなり、キャップ体の内部に円筒状の注出筒体を中心軸に沿って設け、注出筒体の注出口を前記キャップ体上部に開口し、かつ注出筒体の下端に回転方向の変位を軸方向の変位に変換するカム機構を介して操作部材を回動自在に設け、容器本体の注出ノズル双方に接続し、操作部材によって押下されると注出ノズルを開口させ、注出ノズルから噴出されたそれぞれの内容液を前記注出筒体に導入する連結通路を備えた連結押下部材を操作部材の下部に設け、操作部材の回動により、各容器本体からの内容液がともに注出口から注出されるように注出容器を構成した。これにより、注出容器を掴んだ片手で注出操作ができ、また容器を持ち替えることなく頭髪に内容液を塗布することができる。
【００１０】
請求項２に記載の発明は、請求項１に記載の注出容器において、下方を凸とした第１カム片を注出筒体の下端部に少なくとも軸対称の位置に形成し、第１カム片に対応した凹状の第２カム片を操作部材に形成してカム機構を構成した。これにより、操作部材を操作して確実に注出ノズルが押下でき、２種類の内容液を容器本体から噴出させ、注出口から注出させることができる。
【００１１】
請求項３に記載の発明は、請求項１又は２に記載の注出容器において、容器本体を固定部材にて固定し、該固定部材に前記キャップ体を着脱自在に取り付けた。これにより、並列に固定した容器本体にキャップ体を容易に取り付けることができる。
【００１２】
請求項４に記載の発明は、請求項１〜３のいずれか１項に記載の注出容器において、操作部材の側方に設けた操作片を、前記キャップ体の側壁に形成された操作用窓より突出させた。これにより、片手で注出容器を把持した状態で親指等で操作片を操作して、両容器本体から内容液を容易に注出させることができる。
【００１３】
請求項５に記載の発明は、請求項１〜４のいずれか１項に記載の注出容器において、複数の櫛歯を立設させ、注出口に連通した開口を有する櫛歯体を注出口に組み付けて構成した。これにより、２液を同時に櫛歯体に注出させ、注出された２種類の内容液を櫛歯を用いて頭髪に塗布することができる。
【００１４】
【発明の実施の形態】
以下、本発明にかかる注出容器の一実施形態を、図面を参照しながら説明する。
【００１５】
注出容器１の全体を図５に示す。注出容器１は、２本の容器本体２と、容器本体２の上部に取り付けられたキャップ体４とからなり、キャップ体４の上部に形成された注出口６には、例えば先端の開口まで延びる連通路を内部に有する櫛歯を複数立設した櫛歯体５０（図１参照）が取り付けられる。尚、注出口６に取り付けるものは櫛歯体５０に限るものではない。
【００１６】
キャップ体４は、上部が細く下部が広く形成されたほぼ三角形状で、上部に注出口６が開口され、下部内側に２本の容器本体２が並列に取り付けてある。容器本体２は、例えばエアゾール式の２液式白髪染め剤であり、一方の容器本体２が白髪染め剤のＡ液であり、他方の容器本体２が白髪染め剤のＢ液である。尚、容器本体２の内容液はこれに限るものではない。
【００１７】
容器本体２は、図２に示す固定部材１０にその押え片１３で頭部２１の上面が押えられ、また下部に延びる爪片２３により容器本体２の周溝部２２が係合され、２本の容器本体２が並列に固定されている。更に固定部材１０の両端には係合片１２が立設され、係合片１２がキャップ体４の外装壁１４に形成された係合窓１５を貫き、係合片１２に形成された突部１６が係合窓１５の縁に着脱自在に係合し、キャップ体４が容器本体２に一体に取り付けられている。
【００１８】
キャップ体４の中心部分には、注出筒体１８が軸方向に延設してあり、注出筒体１８の上部は注出口６に通じ、下端には注出筒体１８の外壁に沿って回動可能で、かつ軸方向に移動可能な操作環状部材２０が取り付けられている。更に注出筒体１８の下端外周面は、図４に示すようにカム機構の第１カム片としての山形の突部１９が２箇所軸対称に形成してある。
【００１９】
操作環状部材２０は、注出筒体１８の内面に摺動自在に嵌合している内面に段部２７、及び補強材２９とを有する内筒体２８と、内筒体２８の外方に同心円状に形成された外筒体３０と、内筒体２８と外筒体３０とを下端でつなぐ環状の底板３２とを備え、内筒体２８が注出筒体１８の内面に液密に、かつ回動、及び軸方向に摺動自在に挿入されているとともに内筒体２８と外筒体３０と底板３２とからなる溝３３が注出筒体１８の下端に回動、及び軸方向に摺動自在に嵌合している。
【００２０】
更に外筒体３０の内周面には、注出筒体１８の突部１９に対応する第２カム片としての谷形の凹部２４が２箇所に形成してあり、通常は突部１９が凹部２４内に収納された状態となっている。尚、カム機構としてのカム形状やカムの形成数はこれに限るものではない。
【００２１】
また操作環状部材２０の外側面には側方に延設した操作片２５が設けられ、図５に示すように外装壁１４に形成された操作用窓３４から外方に先端が突出している。
【００２２】
操作環状部材２０の下部には、図２に示すように連結押下部材３５が設けられている。連結押下部材３５は、内部に連結通路３８を有し、中央に、連結通路３８に連通し操作環状部材２０の内筒体２８の内面に嵌合するとともに段部２７に係止される流出筒体４０を備え、連結通路３８の両端に連結通路３８に連通して設けられた流入筒体３９が注出ノズル３６に嵌合している。
【００２３】
連結押下部材３５は、操作環状部材２０が回動してカムの作用により操作環状部材２０が下方に移動すると、それに伴って下方に移動して注出ノズル３６を押下し、容器本体２から内容液を噴出させるとともに双方の注出ノズル３６から噴出された内容液を連結通路３８を介して注出口６に送出する。
【００２４】
次に、注出容器１の使用方法について説明する。
【００２５】
まず容器本体２の頭部２１を固定部材１０に差入れ、頭部２１の上面を押え片１３で押え、周溝部２２を爪片２３に係合させ、２本の容器本体２を固定部材１０により並列に固定する。
【００２６】
容器本体２を固定部材１０に固定したら、注出ノズル３６を連結押下部材３５の流入筒体３９に接続させるとともに係合片１２を外装壁１４に係合させ、容器本体２にキャップ体４を取り付ける。そのとき内筒体１８の突部１９は操作環状部材２０の凹部２４に一致し凹部２４内に収納されているため、カム機構として上死点に位置し、注出ノズル３６には押下する方向に力が加えられていない。
【００２７】
注出容器１を使用する際には図５に示すように片手で容器本体２を握り、親指で操作環状部材２０の操作片２５を左右いずれかの方向に回動させる。すると、凹部２４の傾斜面が突部１９の傾斜面に当り、更に突部１９の傾斜面に沿って凹部２４が押し下げられることによって、操作環状部材２０が注出筒体１８に沿って下方に移動する。操作環状部材２０が下降すると図３に示すように連結押下部材３５が押下されるので、注出ノズル３６が押圧されノズルが開放して、双方の容器本体２から内容液が噴出して、噴出された内容液が注出路３８を通り流出筒体４０を介して合流し注出口６から櫛歯体５０に送り出される。
【００２８】
櫛歯体５０に送られた内容液は、櫛歯先端に設けられた開口から注出され、内容液が付着した櫛歯で頭髪を梳かすと、容器本体２のそれぞれに収容されている２液が頭髪に同時に塗布される。
【００２９】
以上説明したように注出容器１によれば、親指による操作で操作片２５を左右のいずれかの方向に移動させると、２本の容器本体２の双方から内容液を櫛歯体５０に噴出できる。更に、櫛歯体５０と容器本体２とが一体に固定となっているため塗布の際に持ち直す必要がなく、櫛歯体５０を用いての内容液の塗布が容易となる。
【００３０】
尚、本発明にかかる注出容器１は、櫛歯体５０を注出口６に組付けたものに限るものでなく、注出口６に塗布体（図示せず。）を取り付け、塗布体から内容液を塗布するようにしてもよい。更に、注出口６から直接内容液を注出させるようにしておき、注出口６から注出させた内容液を別途ブラシなどに塗布し、ブラシから頭髪に付着させるようにしてもよい。
【００３１】
【発明の効果】
本発明の注出容器によれば、次のような効果を有している。
【００３２】
請求項１に記載の発明によれば、操作部材をカム機構を介して注出筒体に設け、操作部材の回動操作により容器本体の注出ノズルが押下されるように構成したので、注出容器を掴んだ手の親指で操作部材を回動させ、注出ノズルを開放させることができ、内容液の注出が容易で、操作性が高い注出容器を提供できる。
【００３３】
請求項２に記載の発明は、下方を凸とした第１カム片を注出筒体の下端部に少なくとも軸対称の位置に形成し、第１カム片に対応した凹状の第２カム片を操作部材に形成してカム機構を構成したので、操作部材を操作して確実に注出ノズルを押下し、容器本体から２種類の内容液を噴出させ、注出口から注出させることができる。
【００３４】
請求項３に記載の発明によれば、容器本体を固定した固定部材にキャップ体を着脱自在に取り付けたので、容器本体の着脱、交換が容易にできる。
【００３５】
請求項４に記載の発明によれば、操作片を有する操作環状部材を注出筒体に設け、操作片の回動操作により容器本体の注出ノズルを押下するように構成したので、注出容器を片手で掴み、その親指で操作部材を回動させ、注出ノズルを開放させることができ、内容液の注出が容易で、操作性が高い注出容器を提供できる。
【００３６】
請求項５に記載の発明は、複数の櫛歯を立設させ、注出口に連通した開口を有する櫛歯体を注出口に組み付けて構成したので、容器本体の２液を同時に櫛歯体に注出させ、注出された２種類の内容液を櫛歯を用いて頭髪に塗布することができる。
【図面の簡単な説明】
【図１】本発明にかかる注出容器の一実施形態を示す側面断面図である。
【図２】本発明にかかる注出容器の一実施形態を示す正面断面図である。
【図３】図１の操作環状部材を回転させた状態を示す注出容器の断面図である。
【図４】カム機構を示す分解斜視図である。
【図５】使用状態を示す斜視図である。
【符号の説明】
１  ；  注出容器
２  ；  容器本体
４  ；  キャップ体
６  ；  注出口
１０  ；固定部材
１２  ；係合片
１３  ；押え片
１４  ；外装壁
１５  ；係合窓
１６  ；突部
１８  ；注出筒体
１９  ；突部
２０  ；操作環状部材
２１  ；頭部
２２  ；周溝部
２３  ；爪片
２４  ；凹部
２５  ；操作片
２７  ；段部
２８  ；内筒体
２９  ；補強材
３０  ；外筒体
３２  ；底板
３３  ；溝
３４  ；操作用窓
３５  ；連結押下部材
３６  ；注出ノズル
３８  ；連結通路
３９  ；流入筒体
４０  ；流出筒体
５０  ；櫛歯体
【図１】
2004331101.tif 000003
【図２】
2004331101.tif 000004
【図３】
2004331101.tif 000005
【図４】
2004331101.tif 000006
【図５】
2004331101.tif 000007